(57)【特許請求の範囲】
【請求項１】
対向する壁面間に架設される棚板部材と、その棚板部材の下面を支持する棚板支持具とからなり、前記棚板支持具が、対向する壁面のそれぞれに当接される一対のパッド部材と、一方のパッド部材に一端部が回転自在に連結された伸縮部材と、その伸縮部材の他端部内に一端部が挿入され、伸縮部材から外部に臨む他端部に他方のパッド部材が回転自在に連結されたねじ軸と、そのねじ軸にねじ係合され、回転による軸方向への移動により前記伸縮部材の軸端部を押圧して一対のパッド部材を壁面に押し付け、壁面から一対のパッド部材に付加される反力によって伸縮部材を、その長さ方向の中央部が棚板の中央部を支持するようアーチ状に弾性変形させる加圧ナットを有してなり、前記一対のパッド部材のそれぞれに前記棚板部材を昇降自在に支持する複数のガイドロッドを設けた物品支持棚。
【請求項２】
前記伸縮部材が、平行配置された一対の長さ調整可能な伸縮軸と、その伸縮軸の間隔を保持する複数の間隔保持部材とからなる請求項１に記載の物品支持棚。
【請求項３】
前記伸縮軸が、同一軸線上に配置された一対の大径筒体と、その一対の大径筒体の対向端部内に両端部がスライド自在に挿入された小径筒体と、その小径筒体と大径筒体を伸縮調整位置でロックするロック機構からなる請求項２に記載の物品支持棚。
【請求項４】
前記ロック機構が、前記大径筒体の端部に形成されたねじ孔と、小径筒体の長さ方向に間隔をおいて形成された複数のピン孔と、大径筒体と小径筒体の相対的なスライドによる伸縮軸の長さ調整によって前記ねじ孔に一致するピン孔に挿入されて、ねじ孔にねじ込み固定されるロックピンとからなる請求項３に記載の物品支持棚。
【請求項５】
前記棚板部材が、平行配置の一対の棚板と、その一対の棚板の間隔を一定に保持する間隔保持部材とからなる請求項１乃至４のいずれかの項に記載の物品支持棚。
【請求項６】
前記棚板が、外筒体内に内筒体をスライド自在に嵌合した伸縮棚板からなる請求項５に記載の物品支持棚。
【発明の詳細な説明】
【技術分野】
【０００１】
この発明は、対向する壁面間に架設される物品支持棚に関する。
【背景技術】
【０００２】
対向する壁面間に架設される棚として、特許文献１に記載されたものが従来から知られている。この棚においては、第１ホルダと第２ホルダ間に複数本の大径パイプを掛け渡した固定棚枠と、上記第２ホルダ側から大径パイプのそれぞれ内部にスライド自在に挿入される複数本の小径パイプの端部を第３ホルダで連結一体化した可動棚枠とで伸縮棚を形成している。
【０００３】
上記伸縮棚においては、固定棚枠と可動棚枠の相対的なスライドによってその伸縮棚を対向する壁面間の間隔に応じて長さ調整し、大径パイプの端部外周から径方向にねじ込まれた固定用ネジの締め付けにより、そのネジ先端を小径パイプの外周に押し付けて伸縮棚を長さ調整位置でロックした後、小径パイプの端部と第３ホルダの対向部間に設けられたアジャスタ本体の回転によって可動棚枠の第３ホルダを壁面側に移動させ、伸縮棚の長さのアジャスト調整により、第１ホルダおよび第３ホルダを壁面に押し付けて伸縮棚を固定するようにしている。
【先行技術文献】
【特許文献】
【０００４】
【特許文献１】実開平７−２７３４８号公報
【発明の概要】
【発明が解決しようとする課題】
【０００５】
ところで、上記従来の伸縮棚においては、対向する壁面に、その壁面と直交する方向の突張り力を負荷して伸縮棚を固定する構成であるため、伸縮棚上に載置される物品の重量により、伸縮棚に下向きの荷重が負荷されて撓みが生じると、壁面を押圧する突張り力が低減することになり、安定した強固な取付け状態を維持することができず、重量のある物品を支持することができないという不都合がある。
【０００６】
この発明の課題は、安定した強固な取付け状態を得ることができるようにした物品支持棚を提供することである。
【課題を解決するための手段】
【０００７】
上記の課題を解決するために、この発明においては、対向する壁面間に架設される棚板部材と、その棚板部材の下面を支持する棚板支持具とからなり、前記棚板支持具が、対向する壁面のそれぞれに当接される一対のパッド部材と、一方のパッド部材に一端部が回転自在に連結された伸縮部材と、その伸縮部材の他端部内に一端部が挿入され、伸縮部材から外部に臨む他端部に他方のパッド部材が回転自在に連結されたねじ軸と、そのねじ軸にねじ係合され、回転による軸方向への移動により前記伸縮部材の軸端部を押圧して一対のパッド部材を壁面に押し付け、壁面から一対のパッド部材に付加される反力によって伸縮部材を、その長さ方向の中央部が棚板の中央部を支持するようアーチ状に弾性変形させる加圧ナットを有してなり、前記一対のパッド部材のそれぞれに前記棚板部材を昇降自在に支持する複数のガイドロッドを設けた構成を採用したのである。
【０００８】
上記の構成からなる物品支持棚の架設に際しては、対向する壁面間に棚板支持具を取付け、その棚板支持具で棚板部材を支持する。
【０００９】
棚板支持具の取付けに際しては、伸縮部材の伸縮によって棚板支持具を対向する壁面間の間隔にほぼ等しい長さに長さ調整した後、その棚板支持具を壁面間に配置し、一対のパッド部材の一方を壁面に当接させた状態で、加圧ナットを回動し、その加圧ナットのねじ軸の軸方向への移動により、その加圧ナットで伸縮部材を軸方向に押圧する。その押圧により棚板支持具が伸長して一対のパッド部材が壁面に押し付けられることになり、上記加圧ナットの軸方向への移動量が大きくなるに従って一対のパッド部材から壁面に付加される突張り力が増大し、壁面からパッド部材に付加される反力により伸縮部材がアーチ状に弾性変形し、棚板支持具が取付け状態とされる。
【００１０】
上記のような棚板支持具の取付け状態で一対のパッド部材に設けられた複数のガイドロッドで棚板部材を昇降自在に支持すると、その棚板部材における下面の長さ方向の中央部がアーチ状に弾性変形した伸縮部材の長さ方向の中央部で支持されることになり、棚板支持具が架設状態とされる。
【００１１】
そこで、棚板部材上に物品を載置すると、その物品の重量はアーチ状に弾性変形した伸縮部材の長さ方向中央部に下向きに作用することになり、一対のパッド部材が壁面を押圧する突張り力が増大する。その突張り力は物品の重量が増大するに従って大きくなるため、棚板に極めて安定した架設状態を得ることができ、重量のある物品でも確実に支持することができる。
【００１２】
ここで、伸縮部材として、平行配置された一対の長さ調整可能な伸縮軸と、その伸縮軸の間隔を保持する複数の間隔保持部材とからなる構成のものを採用することにより、幅寸法の大きな伸縮部材を得ることができるため、棚板部材をより安定よく支持することができる。
【００１３】
伸縮軸は、同一軸線上に配置された一対の大径筒体の対向端部内に小径筒体の両端部をスライド自在に挿入し、ロック機構によって小径筒体と大径筒体を伸縮調整位置でロックするようにしたものであってもよい。その場合、ロック機構として、大径筒体の端部に形成されたねじ孔と、小径筒体の長さ方向に間隔をおいて形成された複数のピン孔と、大径筒体と小径筒体の相対的なスライドによる伸縮軸の長さ調整によって前記ねじ孔に一致するピン孔に挿入されて、ねじ孔にねじ込み固定されるロックピンとからなるものを採用することができる。
【００１４】
この発明に係る棚板支持具において、棚板部材は、対向する壁面の間隔に対応する長さとされた板状の棚板であってもよく、あるいは、外筒体内に内筒体をスライド自在に嵌合した長さ調整可能な伸縮棚板であってもよい。
【００１５】
上記のような棚板の採用において、その棚板を一対とし、その一対の棚板を平行に配置し、両端がその棚板に連結される間隔保持部材によって一体化することにより、幅広の棚板部材を得ることができる。
【発明の効果】
【００１６】
この発明においては、上記のように、対向する壁面間において伸縮部材をアーチ状に弾性変形する取付けとして両端の一対のパッド部材で壁面を突張り、その一対のパッド部材に下端部が支持された複数のガイドロッドで棚板部材を昇降自在に支持して、伸縮部材の中央部で棚板部材の下面中央部を支持するようにしたので、棚板部材で物品を支持することにより、一対のパッド部材が壁面を押圧する突張り力が増大することになる。このため、棚板部材に安定した強固な取付け状態を得ることができ、重量のある物品を安定して支持することができる。
【図面の簡単な説明】
【００１７】
【図１】この発明に係る物品支持棚を壁面間に架設した状態の正面図
【図２】図１の平面図
【図３】図１のIII−III線に沿った断面図
【図４】図１の一部分を拡大して示す断面図
【図５】図４のV-V線に沿った断面図
【図６】伸縮軸とパッド部材の双方に加圧力を付与する加圧操作用の各種部品を示す分解斜視図
【図７】図３の一部分を拡大して示す平面図
【図８】図７のVIII−VIII線に沿った断面図
【図９】図７のIX−IX線に沿った断面図
【図１０】図７のX−X線に沿った断面図
【図１１】図７のXI−XI線に沿った断面図
【図１２】図１１に示す各種部品の分解斜視図
【図１３】(ａ)、(ｂ)は、物品支持棚の架設状態を段階的に示す正面図
【図１４】棚板部材の他の例を示す断面図
【発明を実施するための形態】
【００１８】
以下、この発明の実施の形態を図面に基づいて説明する。図１に示すように、この発明に係る物品支持棚は、対向する壁面Ｗ間に架設される棚板支持具Ａと、その棚板支持具Ａによって支持される棚板部材Ｂとからなる。
【００１９】
図３乃至図５に示すように、棚板支持具Ａは、対向する壁面Ｗのそれぞれに当接される一対のパッド部材１０と、一方のパッド部材１０に一端部が回動自在に連結された伸縮部材３０と、その伸縮部材３０の他端部内に挿入され、伸縮部材３０の外部に位置する端部に他方のパッド部材１０が回動自在に連結されたねじ軸５０と、そのねじ軸５０にねじ係合された加圧ナット５１とを有している。
【００２０】
パッド部材１０のそれぞれは、壁面Ｗに当接される矩形状の板体からなる壁パッド１１と、その壁パッド１１の片面に設けられた一対の連結ブラケット１２とからなる。
【００２１】
壁パッド１１には、壁面Ｗと対向する片面にゴムからなる滑り止め層１３が設けられている。また、壁パッド１１の他方の面には、両端方向に長く延びる支持溝１４が形成され、その支持溝１４の開口部には壁パッド１１の両端方向に長く延びる一対の突条１５が上下に設けられて、開口部の幅寸法が奥側の溝幅寸法より小さくされている。この支持溝１４に上記一対の連結ブラケット１２がスライド自在に支持されている。
【００２２】
図５および図６に示すように、連結ブラケット１２は、ロッド支持板１６の両端に一対の側板１７を下向きに設け、その一対の側板１７の後縁から外向きにガイド板１８を設けた構成とされており、上記ガイド板１８が壁パッド１１に形成された上記の支持溝１４にスライド自在に嵌合されている。ガイド板１８にはねじ孔１９が形成され、そのねじ孔１９にねじ込まれるビス２０の締め付けによって連結ブラケット１２は固定される。
【００２３】
連結ブラケット１２の対向する側板１７には支持ピン２１が渡され、その支持ピン２１を中心にして連結ブロック２２が揺動可能に支持されている。
【００２４】
連結ブラケット１２のロッド支持板１６には棚板部材Ｂを昇降自在に支持するガイドロッド６０の下端部が支持されている。ガイドロッド６０の下端部の支持に際し、ここでは、ロッド支持板１６にねじ孔２４を形成し、そのねじ孔２４にガイドロッド６０の下端部に形成された雄ねじ６１をねじ係合して締め付け、ガイドロッド６０の下端部に設けられたフランジ６２をロッド支持板１６で支持している。
【００２５】
図３に示すように、伸縮部材３０は、平行配置された一対の長さ調整可能な伸縮軸３１と、その伸縮軸３１の間隔を保持する複数の間隔保持部材３２とからなり、上記伸縮軸３１のそれぞれは、同一軸線上に配置された一対の大径筒体３３と、その一対の大径筒体３３の対向端部内に両端部がスライド自在に挿入された小径筒体３４と、その小径筒体３４と大径筒体３３を伸縮調整位置でロックするロック機構３５からなっている。
【００２６】
図４に示すように、一対の大径筒体３３のうち、一方の大径筒体３３の端部は一方のパッド部材１０の連結ブロック２２に連結されて支持ピン２１を中心にして回転自在とされている。また、他方の大径筒体３３の端部内にはガイド筒３６が嵌合され、そのガイド筒３６内にねじ軸５０の一端部がスライド自在に挿入され、他端部が他方のパッド部材１０の連結ブロック２２に連結されて支持ピン２１を中心にして回転自在とされている。
【００２７】
図７乃至図１２に示すように、ロック機構３５は、大径筒体３３の対向する端部のそれぞれにエンドキャップ３７を嵌合し、そのエンドキャップ３７および大径筒体３３の端部に、エンドキャップ３７の外周から大径筒体３３内に貫通するねじ孔３８を設け、小径筒体３４にはその小径筒体３４のスライド操作によって上記ねじ孔３８に位置合わせ可能な複数のピン孔３９を小径筒体３４の長さ方向に等間隔に形成し、上記ねじ孔３８にねじ係合したロックピン４０を、そのねじ孔３８に一致されたピン孔３９に挿入して、小径筒体３４と大径筒体３３を伸縮調整位置でロックするようにしている。
【００２８】
ここで、エンドキャップ３７には連結片４１が設けられ、その連結片４１に形成された鍵穴状の連結孔４２に間隔保持部材３２の片面端部に設けられた係合凸部４３を挿入し、その係合凸部４３の先端部に設けられた係合片４４を連結孔４２の外周囲に係合させて係合凸部４３を抜止めするようにしている。
【００２９】
図２および図５に示すように、棚板部材Ｂは、平行配置の一対の棚板７０と、その一対の棚板７０間に配置されて両端部が一対の棚板７０に連結された複数の間隔保持部材７１とからなり、上記棚板７０は、上面が平坦面とされた角形筒体からなり、その下面には図３に示す棚板支持具Ａの一対の伸縮軸３１の小径筒体３４が嵌合可能な溝７２が形成されている。
【００３０】
また、棚板７０の両端部には、上面から溝７２の底面に至る貫通状のロッド挿入孔７３が形成され、そのロッド挿入孔７３にガイドロッド６０の上端部がスライド自在に挿入されて、一対の棚板７０のそれぞれがガイドロッド６０により昇降自在に支持されている。
【００３１】
図２および図５において、７４は棚板７０の端部に嵌合したエンドキャップを示す。
【００３２】
実施の形態で示す物品支持棚は上記の構造からなり、その物品支持棚の架設に際しては、対向する壁面Ｗ間に棚板支持具Ａを取付け、その棚板支持具Ａで棚板部材Ｂを支持する。
【００３３】
棚板支持具Ａの取付けに際しては、図１３(ａ)で示すように、床面Ｃ上において、伸縮部材３０の一対の伸縮軸３１のそれぞれを伸縮して棚板支持具Ａを対向する壁面Ｗ間の間隔にほぼ等しい長さに長さ調整する。
【００３４】
伸縮軸３１の長さ調整に際し、図７乃至図９に示すロックピン４０を緩め、その先端部がピン孔３９から抜け出る状態において、大径筒体３３と小径筒体３４を相対的にスライドし、その伸縮軸３１の長さ調整後、ねじ孔３８に一致するピン孔３９にロックピン４０の先端部を挿入して伸縮軸３１を長さ調整位置でロックする。
【００３５】
上記のように、伸縮軸３１の伸縮による棚板支持具Ａの長さ調整後、その棚板支持具Ａを壁面Ｗ間の上方位置、すなわち、棚板部材Ｂを架設しようとする位置に配置してほぼ水平の状態に保持し、一対のパッド部材１０の一方を壁面Ｗに当接させた状態で、加圧ナット５１を回動し、その加圧ナット５１のねじ軸５０の軸方向への移動により、その加圧ナット５１で伸縮部材３０における伸縮軸３１の軸端部を軸方向に押圧する。
【００３６】
加圧ナット５１による伸縮軸３１の軸端部の押圧により、棚板支持具Ａが伸長して一対のパッド部材１０が壁面Ｗに押し付けられることになり、上記加圧ナット５１の軸方向への移動量が大きくなるに従って一対のパッド部材１０から壁面に付加される突張り力が増大し、壁面Ｗからパッド部材１０に付加される反力により、図１３(ｂ)に示すように、伸縮部材３０の伸縮軸３１がアーチ状に弾性変形し、棚板支持具Ａが取付け状態とされる。
【００３７】
上記のような棚板支持具Ａの取付け状態で一対のパッド部材１０に設けられた複数のガイドロッド６０の上部が棚板７０のロッド挿入孔７３内に挿入されるようにして、そのガイドロッド６０で棚板部材Ｂの棚板７０を昇降自在に支持し、その支持状態で加圧ナット５１を上記と同方向に回転させて伸縮軸３１の軸端部を軸方向にさらに押圧すると、図１に示すように、伸縮軸３１がさらに大きくアーチ状に弾性変形して長さ方向の中央部が棚板部材Ｂの棚板７０の下面中央部を支持することになり、物品支持棚の架設が完了する。
【００３８】
上記のような棚板支持具の架設状態で、棚板７０上に物品を載置すると、その物品の重量はアーチ状に弾性変形した伸縮部材３０の長さ方向中央部に負荷されて、その中央部を下向きに作用することになり、伸縮部材３０が自己の復元弾性によって自然状態に戻ろうとする形状復元力と、物品の重量による押圧力とによって一対のパッド部材１０が壁面Ｗを押圧する突張り力が増大する。その突張り力は物品の重量が増大するに従って大きくなるため、棚板７０に極めて安定した架設状態を得ることができる。このため、重量のある物品でも安定よく確実に支持することができる。
【００３９】
図２および図５に示す例においては、棚板７０として、対向する壁面Ｗ間の間隔にほぼ等しい長さの角形筒体からなるものを示したが、棚板７０はこれに限定されるものではない。例えば、図１４に示すように、外筒体７５内に内筒体７６をスライド自在に嵌合した長さ調整可能な伸縮棚板７０からなるものであってもよい。この場合、外筒体７５および内筒体７６の外端部にロッド挿入孔７３を設けておくようにする。
【符号の説明】
【００４０】
Ａ    棚板支持具
Ｂ    棚板部材
１０  パッド部材
３０  伸縮部材
３１  伸縮軸
３２  間隔保持部材
３３  大径筒体
３４  小径筒体
３５  ロック機構
３８  ねじ孔
３９  ピン孔
４０  ロックピン
５０  ねじ軸
５１  加圧ナット
６０  ガイドロッド
７０  棚板
７１  間隔保持部材
７５  外筒体
７６  内筒体
【図１】
0005629635.tif 000002
【図２】
0005629635.tif 000003
【図３】
0005629635.tif 000004
【図４】
0005629635.tif 000005
【図５】
0005629635.tif 000006
【図６】
0005629635.tif 000007
【図７】
0005629635.tif 000008
【図８】
0005629635.tif 000009
【図９】
0005629635.tif 000010
【図１０】
0005629635.tif 000011
【図１１】
0005629635.tif 000012
【図１２】
0005629635.tif 000013
【図１３】
0005629635.tif 000014
【図１４】
0005629635.tif 000015